(57)【要約】【課題】  系統図の視認性及び操作性を向上させると共にオペレータが欲しい情報を容易に参照できる電力系統監視装置を提供することである。【解決手段】  電力系統を構成する設備機器の系統図を表示するための表示装置１１に表示された系統図内でオペレータにより指示された位置を図形検索処理手段１３で特定し、設備機器特定処理手段１５は図形検索処理手段１３で特定された位置に表示されている設備機器を特定する。そして、設備機器情報取得処理手段１７は設備機器特定処理手段１５で特定された設備機器に関連する設備機器情報を取得し、画面表示処理手段１２は設備機器情報取得処理手段１７で取得された設備機器情報を系統図内に表示する。【選択図】  図１
2005284460.tif 000002
【特許請求の範囲】
【請求項１】
電力系統を構成する設備機器の系統図を表示装置に画面表示して監視する電力系統監視装置において、前記表示装置に表示された系統図内でオペレータにより指示された位置を特定する図形検索処理手段と、前記図形検索処理手段で特定された位置に表示されている設備機器を特定する設備機器特定処理手段と、前記設備機器特定処理手段で特定された設備機器に関連する設備機器情報を取得する設備機器情報取得処理手段と、前記設備機器情報取得処理手段で取得された設備機器情報を前記系統図内に表示する画面表示処理手段とを備えたことを特徴とする電力系統監視装置。
【請求項２】
前記設備機器特定処理手段で特定された設備機器の現在状態を取得する設備機器状態取得処理手段を設け、前記画面表示処理手段は前記設備機器情報取得処理手段で取得された設備機器情報と共に前記設備機器状態取得処理手段で取得した設備機器の現在状態に関する情報を前記系統図内に表示することを特徴とする請求項１記載の電力系統監視装置。
【請求項３】
前記図形検索処理手段は、前記表示装置に表示された系統図内の設備機器の現在状態を取得し、設備機器の現在状態が制御不可状態である設備機器が表示されている位置は検索対象外とすることを特徴とする請求項２記載の電力系統監視装置。
【請求項４】
前記設備機器特定処理手段で特定された設備機器または周囲の表示要素に近接または重なりがある場合は現在の表示倍率より大きい表示倍率とする拡大率変更処理手段を設け、前記画面表示処理手段は前記拡大率変更処理手段で変更された表示倍率で拡大表示することを特徴とする請求項１記載の電力系統監視装置。
【請求項５】
前記設備機器特定処理手段で特定された設備機器または周囲の表示要素に近接または重なりがある場合は周囲の他の図形の表示要素を近接または重なりのない位置に移動する機器シンボル移動処理手段を設け、前記画面表示処理手段は前記機器シンボル移動処理手段で移動処理された表示要素を表示することを特徴とする請求項１記載の電力系統監視装置。
【請求項６】
前記設備機器特定処理手段で特定された設備機器または周囲の表示要素に近接または重なりがある場合は周囲の他の図形の表示要素を透過処理する機器シンボル透過処理手段を設け、前記画面表示処理手段は前記機器シンボル透過処理手段で透過処理された表示要素を透過表示することを特徴とする請求項１記載の電力系統監視装置。
【請求項７】
前記設備機器特定処理手段で特定された設備機器または周囲の表示要素に近接または重なりがある場合は設備機器の表示要素を点滅処理する機器シンボル点滅処理手段を設け、前記画面表示処理手段は前記機器シンボル点滅処理手段で点滅処理された表示要素を点滅表示することを特徴とする請求項１記載の電力系統監視装置。
【請求項８】
前記設備機器特定処理手段で特定された設備機器の表示要素の大きさを周期的に切り換える拡大率または縮小率を取得する拡大縮小率取得処理手段を設け、前記画面表示処理手段は前記拡大縮小率取得処理手段で取得された拡大率または縮小率に従って当該設備機器の表示要素を通常表示と拡大表示または縮小表示とを周期的に切り換えて表示することを特徴とする請求項１記載の電力系統監視装置。
【請求項９】
前記設備機器特定処理手段で特定された設備機器の表示要素を所定範囲内で動く動画とする動画情報を取得する動画情報取得処理手段を設け、前記画面表示処理手段は前記動画情報取得処理手段で取得された動画情報に基づいて当該設備機器の表示要素を動画イメージで表示することを特徴とする請求項１記載の電力系統監視装置。
【請求項１０】
前記設備機器特定処理手段で特定された設備機器または周囲の表示要素に近接または重なりがある場合は設備機器の周囲の表示要素を非表示とするシンボル表示判定処理手段を設け、前記画面表示処理手段は前記シンボル表示判定処理手段で非表示と判定された表示要素を表示しないことを特徴とする請求項１記載の電力系統監視装置。
【請求項１１】
前記設備機器特定処理手段で特定された設備機器または周囲の表示要素に近接または重なりがある場合は設備機器ごとに別の表示色とする図形色決定処理手段を設け、前記画面表示処理手段は前記図形色決定処理手段で決定された表示色で各設備機器ごとに別色で表示することを特徴とする請求項１記載の電力系統監視装置。
【請求項１２】
前記設備機器特定処理手段は前記表示装置に表示された系統図内の設備機器のうちオペレータにより指定された種別の設備機器をすべて取り出し、前記図形検索処理手段は前記設備機器特定処理手段で取り出された設備機器の図形を取り出し、前記画面表示処理手段は前記図形検索処理手段で取得された設備機器情報を前記系統図内の最前面に表示することを特徴とする請求項１記載の電力系統監視装置。
【請求項１３】
前記表示装置に表示される画面を分割する画面分割処理手段と、前記画面分割処理手段で分割された分割画面内に複数の設備機器情報があるか否かを判定する重なりチェック処理手段と、前記重なりチェック処理手段で分割画面内に複数の設備機器情報があると判定されたときは設備機器情報がない隣接する分割画面にその設備機器情報を移動処理する設備機器情報移動処理手段とを備えたことを特徴とする請求項１記載の電力系統監視装置。
【請求項１４】
オペレータにより追加された設備機器を前記表示装置に表示される系統図内に追加処理する設備機器追加処理手段と、前記設備機器追加処理手段で追加処理された設備機器を含む系統図の画面を分割する画面分割処理手段と、前記画面分割処理手段で分割された分割画面内に複数の設備機器情報があるか否かを判定する重なりチェック処理手段と、前記重なりチェック処理手段で分割画面内に複数の設備機器情報があると判定されたときは設備機器情報がない隣接する分割画面にその設備機器情報を移動し設備機器情報の座標を補正処理する設備機器情報座標補正処理手段とを備えたことを特徴とする請求項１記載の電力系統監視装置。
【発明の詳細な説明】
【技術分野】
【０００１】
本発明は、電力系統に係わる設備機器やそれに関連する情報に基づいて系統図の表示や制御を行う電力系統監視装置に関する。
【背景技術】
【０００２】
一般に、電力系統の監視は表示装置に電力系統の系統図を表示して行われており、系統図に電力系統を構成する各種設備機器を機器シンボルで表示して、その名称や状態も合わせて表示している。このように、系統図は平面上に設備機器に対応する図形を並べた状態で表示されるので、表示装置の表示エリア内に存在する設備機器の配置は、ある拡大あるいは縮小率のもとで重なり合わないように考慮されている。すなわち、設備機器の配置が重ならないようにその表示座標を示すデータベースを作成しており、さらに系統図上に設備機器シンボルと合わせて表示される設備機器名称等の表示座標も加えた形で全体の配置を決定している。
【０００３】
このため、表示対象の情報数が多い場合は、見やすくするために表示要素の間隔を保つよう表示座標の調整や表示する系統図の拡大・縮小率に合わせて表示する表示要素の絞込みを実施している。
【０００４】
例えば、監視画面の表示倍率に応じて予め表示する表示要素の表示態様を登録しておき、監視画面の表示倍率が指定されたときは、その表示倍率に応じた表示要素の表示態様で表示するようにしたものがある（例えば、特許文献１参照）。また、画面の拡大縮小の際に生じる表示要素の形状の歪みや表示くずれを補正するもの（例えば、特許文献２参照）や画面が拡大縮小しても監視対象の構成や状態に関する情報の視認性を保った監視画面を表示できるようにしたものもある（例えば、特許文献３参照）。
【特許文献１】特開平２−１９４４９６号公報（第５図）
【特許文献２】特開平１１−７３１６号公報（図５）
【特許文献３】特開平１１−７３２９２号公報（図２）
【発明の開示】
【発明が解決しようとする課題】
【０００５】
ところが、表示要素同士が近接または重なっていた場合に、表示される情報を読み取ることは困難であり、さらに一つの設備機器に関する情報を複数の表示要素によって表現する場合、どの表示要素の組が同じ設備機器を表現しているのかを判別することが困難である。また、オペレータが各設備機器について様々な判断を行う場合、系統図の画面以外のウィンドウを開いて必要な情報を得るなどの操作が必要であり、オペレーションが複雑になっている。
【０００６】
本発明の目的は、系統図の視認性及び操作性を向上させると共にオペレータが欲しい情報を容易に参照できる電力系統監視装置を提供することである。
【課題を解決するための手段】
【０００７】
本発明の電力系統監視装置は、電力系統を構成する設備機器の系統図を表示するための表示装置に表示された系統図内でオペレータにより指示された位置を図形検索処理手段で特定し、設備機器特定処理手段は図形検索処理手段で特定された位置に表示されている設備機器を特定する。そして、設備機器情報取得処理手段は設備機器特定処理手段で特定された設備機器に関連する設備機器情報を取得し、画面表示処理手段は設備機器情報取得処理手段で取得された設備機器情報を系統図内に表示する。
【発明の効果】
【０００８】
本発明によれば、通常時は系統図に設備機器が表示されており設備機器情報は非表示になっており、系統図に表示された設備機器をオペレータが指示したとき、その設備機器の設備機器情報が系統図内に表示されるので、系統図の視認性及び操作性が向上する。
【発明を実施するための最良の形態】
【０００９】
図１は本発明の第１の実施の形態に係わる電力系統監視装置のブロック構成図である。電力系統を構成する設備機器の系統図は表示装置１１に監視画面として表示される。監視画面として表示される系統図の表示要素は、電力系統を構成する設備機器のシンボルや設備機器の名称等の設備機器情報であるが、画面表示処理手段１２は、表示優先度の低い表示要素を初期状態では非表示として全体の表示要素数を減らして表示する。すなわち、表示優先度の低い表示要素である設備機器名称などの設備機器情報は予め表示対象外として、表示要素の近接や重なりを発生させないようにしている。
【００１０】
表示装置１１にはマウスやタッチパネル等の座標入力手段が接続されており、表示装置１１に表示された系統図内でオペレータにより座標入力手段で表示要素が指示されると、その座標が図形検索処理手段１３に入力される。すなわち、この系統図の画面上においてオペレータによる座標入力手段の移動操作に追従してそのポインタの指示する座標情報が逐次図形検索処理手段１３に通知される。
【００１１】
図形検索処理手段１３では座標入力手段からオペレータが指示する座標が入力されると、図形情報データベース１４を検索し、座標入力手段にて入力された座標と図形情報データベース１４に予め記憶された設備機器を表現する図形の座標とを比較し、座標が一致する箇所に図形があるかどうかを判定する。すなわち、入力された座標と設備機器を表現する図形との距離に基づいて対象設備機器の有無を判定する。
【００１２】
図形検索処理手段１３により、系統図内でオペレータにより指示された位置に図形があると判定されると、設備機器特定処理手段１５は設備データベース１６を参照し図形検索処理手段１３で特定された位置に表示されている設備機器を特定する。そして、設備機器情報取得処理手段１７は設備機器特定処理手段１５で特定された設備機器に関連する設備機器情報を設備データベース１６から取得し、画面表示処理手段１２に出力する。画面表示処理手段１２は設備機器情報取得処理手段１７で取得された設備機器情報を表示装置１１に表示された系統図内に表示する。
【００１３】
この場合、当該設備機器の近傍にその設備機器情報は表示される。また、設備機器情報の表示はオペレータが座標入力手段のポインタを当該設備機器シンボルの上に合わせたタイミングで行い、ポインタを移動した時点で設備機器情報は非表示状態に戻る。これにより、非表示状態とした設備機器を識別するための設備機器情報の一部（例えば、設備機器名称）をオペレータが指示したときのみ一時的に系統図内に表示する。
【００１４】
図２は第１の実施の形態における図形検索処理手段１３の処理内容を示すフローチャートである。座標入力手段のポインタの座標情報を取得すると（Ｓ１）、図形情報データベース１４に記憶された図形の座標と座標入力手段からの座標情報とを照合し（Ｓ２）、座標入力手段のポインタ位置からある範囲内における最近図形が存在するか否かを判定し（Ｓ３）、図形が存在する場合には、その図形情報を取得する（Ｓ４）。取得した図形情報は設備機器特定処理手段１５に出力される。
【００１５】
図３は第１の実施の形態における設備機器特定処理手段１５の処理内容を示すフローチャートである。図形検索処理手段より図形情報を入力すると、設備データベース１６に記憶された図形情報に対応する設備機器と照合し（Ｓ５）、その図形情報に対応する設備機器を特定する（Ｓ６）。特定した設備機器は設備機器情報取得手段１７に出力される。
【００１６】
このように、オペレータにより指示された系統図上での座標情報と図形情報データベース１４の図形情報とから図形情報を特定し、この情報から設備データベース１６から設備機器を特定し、さらに、この設備機器に関連する設備機器情報を設備データベース１６から取得する。ここで取得した設備機器情報を画面表示処理手段１２によって系統図上に表示する。
【００１７】
第１の実施の形態によれば、設備機器名称などの設備機器情報を予め表示対象外とし表示される表示要素の数を抑制しておくことで、設備機器のシンボルにポインタを近づけることにより、必要な設備機器情報のみを表示させることができる。これにより、多数の設備機器が近接していても、設備機器情報が近接または重なった状態で表示されることを防止することが可能となる。また、ポインタを近づけた設備機器シンボルが表現する設備機器に関する設備機器情報のみが表示されることになるので、表示された設備機器情報がどの設備機器に対応するものかを特定することが容易になる。
【００１８】
図４は本発明の第２の実施の形態に係わる電力系統監視装置のブロック構成図である。この第２の実施の形態は、図１に示した第１の実施の形態に対し、設備機器の現在状態に関する情報を外部装置から取得して記憶するオンラインデータベース１８と、設備機器特定処理手段１５で特定された設備機器の現在状態を取得する設備機器状態取得処理手段１９とを追加して設け、画面表示処理手段１２は設備機器情報取得処理手段１７で取得された設備機器情報と共に設備機器状態取得処理手段１９で取得した設備機器の現在状態に関する情報を系統図内に表示するようにしたものである。図１に示した第１の実施の形態と同一要素には同一符号を付し重複する説明は省略する。
【００１９】
設備機器情報取得処理手段１７は、図形検索処理手段１３が特定した図形の表現する設備機器情報、例えば、設備機器名称、設備機器の制御権の有無や設備機器との通信状態、さらに、設備機器の制御可否状態などを設備データベース１６から取得する。設備機器状態取得処理手段１９はオンラインデータベース１８から設備機器の現在状態を収集する。これらの情報は画面表示処理手段１２によって系統図上に表示される。画面表示処理手段１２による系統図上への表示は、座標入力手段のポインタの近傍に表示したり、ウインドウによりポップアップ表示させたりする。系統図フォーマット上での表示位置を固定しておく必要はない。
【００２０】
このように、オペレータにより指示された設備機器の設備機器情報を収集し外部装置から取得した設備機器の現在情報を付加情報として表示することにより、非表示状態とした設備機器情報に加え、系統図上に表示していなかった詳細情報などを多くの情報をオペレータに提供することが可能となる。
【００２１】
第２の実施の形態によれば、系統図とは別の画面を開いて表示していた情報を系統図上に直接表示することができるだけでなく、必要とする情報にすばやくアクセスすることができる。また、設備機器シンボルをクリックして操作する前に、その設備機器の制御可否状態や現在状態などの情報をオペレータに示すことができるので、より利便性も向上する。
【００２２】
図５は本発明の第３の実施の形態に係わる電力系統監視装置のブロック構成図である。この第３の実施の形態は、図４に示した第２の実施の形態に対し、図形検索処理手段１３は、表示装置１１に表示された系統図内の設備機器の現在状態を取得し、設備機器の現在状態が制御不可状態である設備機器が表示されている位置は検索対象外とするようにしたものである。図４に示した第２の実施の形態と同一要素には同一符号を付し重複する説明は省略する。
【００２３】
図５において、図形検索処理手段１３は図形情報データベース１４の他にオンラインデータベース１８の情報も参照して対象設備機器の検索を行う。すなわち、図形検索処理手段１３は当該設備機器の制御可否状態や現在状態などを図形検索条件に加えて情報表示対象となる設備機器の検索を行う。設備機器の制御を目的とする場合には、オンラインデータベース１８から取得した情報により制御不可状態であることが分かった設備機器については図形検索の対象外とする。つまり、制御可能な設備機器のみを選択対象とする。
【００２４】
これにより、画面表示処理手段１２は制御可能な設備機器である場合のみ設備機器情報を表示することになり、設備機器の選択を容易にすると共に視覚的に情報をオペレータに提供できる。
【００２５】
第３の実施の形態によれば、設備機器シンボルの選択を行った結果により制御可否状態などが示されていたが、この操作を行う前に制御可否状態が判別できるので無用なオペレーションを行う必要がなくなる。これによりオペレータの操作性が向上する。
【００２６】
図６は本発明の第４の実施の形態に係わる電力系統監視装置のブロック構成図である。この第４の実施の形態は、図１に示した第１の実施の形態に対し、設備機器特定処理手段１５で特定された設備機器または周囲の表示要素に近接または重なりがある場合は現在の表示倍率より大きい表示倍率とする拡大率変更処理手段２０を設け、画面表示処理手段１２は拡大率変更処理手段２０で変更された表示倍率で拡大表示するようにしたものである。図１に示した第１の実施の形態と同一要素には同一符号を付し重複する説明は省略する。
【００２７】
図６において、図形検索処理手段１３は座標入力手段のポインタの移動に合わせてカーソルの最近図形における設備機器の図形を取得し、設備機器特定処理手段１５は設備データベース１６のデータに基づいてその設備機器を特定し、設備機器情報取得処理手段１７はその設備機器の設備機器情報を設備データベース１６から取得する。拡大率変更処理手段２０は現在の系統図表示倍率（拡大縮小率）から表示要素の近接または重なりがあるか否かを図形情報データベース１４のデータに基づいて判断し、表示要素の近接または重なりがある場合は画面全体を大きくするように拡大率を変更する。
【００２８】
図７は第４の実施の形態における拡大率変更処理手段２０の処理内容を示すフローチャートである。現在の座標入力手段のポインタ位置に該当する設備機器の図形の表示サイズを取得し（Ｓ１１）、その設備機器の周辺に配置される表示要素の表示座標とサイズとを図形情報データベース１４から収集する（Ｓ１２）。そして、表示要素の近接及び重なりの有無を判定する（Ｓ１３）。表示要素の近接及び重なりがある場合には現在の表示サイズより大きく拡大表示するために拡大率を上げ、その拡大率を画面表示処理手段１２へ通知する（Ｓ１４）。画面表示処理手段１２は拡大率変更処理手段２０で変更された表示倍率で系統図を拡大表示する。
【００２９】
第４の実施の形態によれば、系統図の表示要素に応じて拡大率に変化を持たせ、オペレータの操作に応じて、例えば座標入力手段のポインタを設備機器シンボル上に合わせた際に近接や重なりが存在する場合は、系統図を拡大表示するので、表示要素の近接や重なりによる視認性及び操作性を向上させることができる。
【００３０】
図８は本発明の第５の実施の形態に係わる電力系統監視装置のブロック構成図である。この第５の実施の形態は、図１に示した第１の実施の形態に対し、設備機器特定処理手段１５で特定された設備機器または周囲の表示要素に近接または重なりがある場合は周囲の他の図形の表示要素を近接または重なりのない位置に移動する機器シンボル移動処理手段２１を設け、画面表示処理手段１２は機器シンボル移動処理手段２１で移動処理された表示要素を表示するようにしたものである。図１に示した第１の実施の形態と同一要素には同一符号を付し重複する説明は省略する。
【００３１】
図８において、オペレータの操作に応じて例えば座標入力手段のポインタを設備機器シンボル上に合わせた際に近接や重なりが存在する場合は、機器シンボル移動処理手段２１は、設備機器特定処理手段１５によって特定された対象設備機器、設備機器情報取得手段１７で取得処理された設備機器情報及び近接する他の図形を互いに重ならない位置に移動させる。
【００３２】
図９は第５の実施の形態における機器シンボル移動処理手段２１の処理内容を示すフローチャートである。現在の座標入力手段のポインタ位置に該当する設備機器の位置情報を基に、その設備機器の周辺に配置される表示要素の表示座標とサイズとを図形情報データベース１４から収集する（Ｓ２１）。そして、表示要素の近接及び重なりの有無を判定し（Ｓ２２）、表示要素の近接及び重なりがある場合には重なりのある周辺の表示要素の移動方向及び移動位置を決定し（Ｓ２３）、周辺に配置される表示要素を移動し画面表示処理手段１２へ通知する（Ｓ２４）。これにより、画面表示処理手段１２は表示要素の近接や重なりがないように表示要素を表示する。例えば、初期表示にて非表示とした表示情報を表示する際に、既に表示済みの表示要素と重ならない位置に表示したり、複数の非表示情報を表示要素の周りに重ならないような表示が可能となる。
【００３３】
第５の実施の形態によれば、座標入力手段のポインタの位置に応じて表示要素に近接や重なりが存在する場合は、系統図の表示要素の位置を変化させ、注目する表示要素が近接または重なりのない状態で表示できるので、視認性及び操作性が向上する。
【００３４】
図１０は本発明の第６の実施の形態に係わる電力系統監視装置のブロック構成図である。この第６の実施の形態は、図１に示した第１の実施の形態に対し、設備機器特定処理手段１５で特定された設備機器または周囲の表示要素に近接または重なりがある場合は周囲の他の図形の表示要素を透過処理する機器シンボル透過処理手段２２を設け、画面表示処理手段１２は機器シンボル透過処理手段２２で透過処理された表示要素を透過表示するようにしたものである。図１に示した第１の実施の形態と同一要素には同一符号を付し重複する説明は省略する。
【００３５】
図１０において、シンボル透過処理手段２２は、設備機器特定手段１７によって判定された対象設備機器に近接する他の図形を透過表示（不鮮明に表示）させることで対象設備機器を目立たせて画面表示を行う。オペレータの操作に応じて例えば座標入力手段のポインタを設備機器シンボル上に合わせた際に近接や重なりが存在する場合は、周囲の設備機器シンボルをシンボル透過処理手段２２により透過表示とする。透過表示の対象とする設備機器シンボルの対象判定は、対象設備機器の周辺に配置されるものを対象とし、図形検索処理手段１３で図形情報データベース１４のデータに基づいて照合され判定される。
【００３６】
図１１は第６の実施の形態における機器シンボル透過処理手段２２の処理内容を示すフローチャートである。現在の座標入力手段のポインタ位置に該当する設備機器の位置情報を基に周辺に配置される表示要素の表示座標とサイズとを図形情報データベース１４から収集する（Ｓ３１）。そして、表示要素の近接及び重なりの有無を判定し（Ｓ３２）、表示要素の近接及び重なりがある場合には、その設備機器の周辺に配置される表示要素を透過表示とし画面表示処理手段１２へ通知する（Ｓ３３）。
【００３７】
第６実施の形態によれば、系統図上の注目する表示要素が他の表示要素によって上書きされている状態でも注目する表示要素に座標入力手段のポインタを近づけることで他の表示要素を透過表示させるため視認性を向上させることができる。
【００３８】
図１２は本発明の第７の実施の形態に係わる電力系統監視装置のブロック構成図である。この第７の実施の形態は、図１に示した第１の実施の形態に対し、設備機器特定処理手段１５で特定された設備機器または周囲の表示要素に近接または重なりがある場合は設備機器の表示要素を点滅処理する機器シンボル点滅処理手段２３を設け、画面表示処理手段１２は機器シンボル点滅処理手段２３で点滅処理された表示要素を点滅表示するようにしたものである。図１に示した第１の実施の形態と同一要素には同一符号を付し重複する説明は省略する。
【００３９】
図１２において、座標入力手段のポインタの移動に合わせてカーソルの最近図形における設備機器の位置情報を図形検索処理手段１３で取得し、設備機器特定処理手段１５は図形検索処理手段１３で検索された図形の設備機器を特定する。機器シンボル点滅処理手段２３は、設備機器特定処理手段１５によって特定された設備機器の周囲の表示要素に近接や重なりがあるか否かを判断し、近接や重なりがある場合には設備機器の表示要素を点滅表示する。この場合、設備機器の表示要素だけでなく設備機器名称等の設備機器情報も点滅表示するようにしても良い。
【００４０】
図１３は第７の実施の形態における機器シンボル点滅処理手段２３の処理内容を示すフローチャートである。現在の座標入力手段のポインタ位置に該当する設備機器の位置情報を基に周辺に配置される表示要素の表示座標とサイズとを図形情報データベース１４から収集し（Ｓ４１）、表示要素の近接及び重なりの有無を判定する（Ｓ４２）。表示要素の近接及び重なりがある場合には、設備機器の表示要素やその設備機器名称を点滅表示とし画面表示処理手段１２へ通知する（Ｓ４３）。
【００４１】
第７の実施の形態によれば、座標入力手段のポインタの位置に応じて系統図の表示要素を点滅表示するので、注目する表示要素に対する視認性が向上する。
【００４２】
図１４は本発明の第８の実施の形態に係わる電力系統監視装置のブロック構成図である。この第８の実施の形態は、図１に示した第１の実施の形態に対し、設備機器特定処理手段１５で特定された設備機器の表示要素の大きさを周期的に切り換える拡大率または縮小率を取得する拡大縮小率取得処理手段２４を設け、画面表示処理手段１２は拡大縮小率取得処理手段２４で取得された拡大率または縮小率に従って当該設備機器の表示要素を通常表示と拡大表示または縮小表示とを周期的に切り換えて表示するようにしたものである。図１に示した第１の実施の形態と同一要素には同一符号を付し重複する説明は省略する。
【００４３】
図１４において、座標入力手段のポインタの移動に合わせてカーソルの最近図形における設備機器の位置情報を図形検索処理手段１３で取得し、設備機器特定処理手段１５は図形検索処理手段１３で検索された図形の設備機器を特定する。拡大縮小率取得処理手段２４は設備機器特定処理手段１５によって特定された対象設備機器の通常表示、拡大（縮小）表示を交互に実施する。
【００４４】
図１５は第８の実施の形態における拡大縮小率取得処理手段２４の処理内容を示すフローチャートである。現在の座標入力手段のポインタ位置に該当する設備機器の位置情報を基に現在の設備機器の表示倍率とを取得し（Ｓ５１）、現在の設備機器の表示倍率を基に拡大率または縮小率を図形情報データベース１４から取得する（Ｓ５２）。その結果を基に表示倍率を決定する（Ｓ５３）。例えば、現在の表示サイズが拡大表示（縮小表示）の場合は通常表示の倍率を画面表示処理手段１２へ通知し、また現在の表示サイズが通常表示の場合は拡大表示（縮小表示）の倍率を画面表示処理手段１２へ通知する。そして、ステップＳ５１〜ステップＳ５３を周期的に繰り返し実行する。これにより、設備機器の通常表示と拡大表示（縮小表示）との周期的な表示を連続して行う。
【００４５】
第８の実施の形態によれば、座標入力手段のポインタが指し示す設備機器の表示要素の通常表示と拡大表示（縮小表示）とを繰り返すことで、選択対象となる設備機器が強調表示されるため視認性及び操作性が向上する。従って、表示要素の近接や重なりによる視認性の問題が解決される。
【００４６】
図１６は本発明の第９の実施の形態に係わる電力系統監視装置のブロック構成図である。この第９の実施の形態は、図１に示した第１の実施の形態に対し、設備機器特定処理手段１５で特定された設備機器の表示要素を所定範囲内で動く動画とする動画情報を取得する動画情報取得処理手段２５を設け、画面表示処理手段１２は動画情報取得処理手段２５で取得された動画情報に基づいて当該設備機器の表示要素を動画イメージで表示するようにしたものである。図１に示した第１の実施の形態と同一要素には同一符号を付し重複する説明は省略する。
【００４７】
図１６において、座標入力手段のポインタの移動に合わせてカーソルの最近図形における設備機器の位置情報を図形検索処理手段１３で取得し、設備機器特定処理手段１５は図形検索処理手段１３で検索された図形の設備機器を特定する。動画情報取得処理手段２５は設備機器特定処理手段１５によって判定された対象となる設備機器ごとに、動画情報を図形情報データベース１４から取得し、設備機器の表示要素を所定範囲内で動く動画イメージとして画面表示処理手段１２に出力する。
【００４８】
第９の実施の形態によれば、座標入力手段のポインタで選択した設備機器の表示要素を動画イメージで表示するので、選択済みの設備機器を視覚的に容易に判断することができる。従って、表示要素の近接や重なりがあっても視認性の向上を図ることできるので、誤操作の防止に繋がる。
【００４９】
図１７は本発明の第１０の実施の形態に係わる電力系統監視装置のブロック構成図である。この第１０の実施の形態は、図１に示した第１の実施の形態に対し、設備機器特定処理手段１５で特定された設備機器または周囲の表示要素に近接または重なりがある場合は設備機器の周囲の表示要素を非表示とするシンボル表示判定処理手段２６を設け、画面表示処理手段１２はシンボル表示判定処理手段２６で非表示と判定された表示要素を表示しないようにしたものである。図１に示した第１の実施の形態と同一要素には同一符号を付し重複する説明は省略する。
【００５０】
図１７において、座標入力手段のポインタの移動に合わせてカーソルの最近図形における設備機器の位置情報を図形検索処理手段１３で取得し、設備機器特定処理手段１５は図形検索処理手段１３で検索された図形の設備機器を特定する。シンボル表示判定処理手段２６は設備機器特定処理手段１５によって特定された選択対象となる設備機器に近接する機器を非表示とする。
【００５１】
図１８は第１０の実施の形態におけるシンボル表示判定処理手段２６の処理内容を示すフローチャートである。現在の座標入力手段のポインタ位置に該当する設備機器の周辺に配置される表示要素の表示座標を図形情報データベース１４から収集し（Ｓ６１）、現在の座標入力手段のポインタ位置に該当する設備機器の位置情報と図形情報データベース１４から収集した設備機器の周辺に配置される表示要素の表示座標とから表示要素の近接及び重なりの有無を判定する（Ｓ６２）。表示要素の近接及び重なりがある場合には表示対象である設備機器以外の表示要素を非表示とし画面表示処理手段１２へ通知する。これにより、画面表示処理手段１２は設備機器の表示要素が他の図形と近接または重なっている場合には、近接または重なっている他の図形を非表示状態とする。
【００５２】
第１０の実施の形態によれば、座標入力手段のポインタの移動に合わせてカーソルの最近図形以外の表示要素を非表示とすることにより、注目する設備機器が表示要素の近接または重なりのない状態で表示されるため視認性及び操作性が向上する。
【００５３】
図１９は本発明の第１１の実施の形態に係わる電力系統監視装置のブロック構成図である。この第１１の実施の形態は、図１に示した第１の実施の形態に対し、設備機器特定処理手段１５で特定された設備機器または周囲の表示要素に近接または重なりがある場合は設備機器ごとに別の表示色とする図形色決定処理手段２７を設け、画面表示処理手段１２は図形色決定処理手段１２で決定された表示色で各設備機器ごとに別色で表示するようにしたものである。図１に示した第１の実施の形態と同一要素には同一符号を付し重複する説明は省略する。
【００５４】
図１９において、座標入力手段のポインタの移動に合わせてカーソルの最近図形における設備機器の位置情報を図形検索処理手段１３で取得し、設備機器特定処理手段１５は図形検索処理手段１３で検索された図形の設備機器を特定する。図形色決定処理手段２７は設備機器特定処理手段１５によって特定された選択対象となる設備機器に近接する機器に関する表示要素を他の表示要素とは異なる色で表示する。その際に好ましくは異なる色の透過表示とする。これにより、重なりがある場合でも設備機器シンボルや設備機器名称が容易に識別できる。
【００５５】
図２０は第１１の実施の形態における図形色決定処理手段２７の処理内容を示すフローチャートである。現在の座標入力手段のポインタ位置に該当する設備機器の周辺に配置される表示要素の表示座標を図形情報データベース１４から収集し（Ｓ７１）、現在の座標入力手段のポインタ位置に該当する設備機器の位置情報と図形情報データベース１４から収集した設備機器の周辺に配置される表示要素の表示座標とから表示要素の近接及び重なりの有無を判定する（Ｓ７２）。その結果を基に近接または重なっている設備機器シンボルや設備機器名称の表示色を決定し画面表示処理手段１２へ通知する（Ｓ７３）。
【００５６】
これにより、画面表示処理手段１２は設備機器の表示要素が他の図形と近接または重なっている場合には、設備機器ごとに異なる色で透過表示する。
【００５７】
第１１の実施の形態によれば、系統図上で近接または重なっている設備機器シンボルや設備機器名称を設備機器ごとに異なる色で透過表示することで、近接または重なりによる個々の設備機器を容易に識別でき、視認性及び操作性が向上する。
【００５８】
図２１は本発明の第１２の実施の形態に係わる電力系統監視装置のブロック構成図である。この第１２の実施の形態は、図１に示した第１の実施の形態に対し、設備機器特定処理手段１５は表示装置１１に表示された系統図内の設備機器のうちオペレータにより指定された種別の設備機器をすべて取り出し、図形検索処理手段１３は設備機器特定処理手段１５で取り出された設備機器の図形を取り出し、画面表示処理手段１２は図形検索処理手段１３で取得された設備機器情報を系統図内の最前面に表示するようにしたものである。なお、図２１では設備機器情報取得処理手段１７の記載を省略している。図１に示した第１の実施の形態と同一要素には同一符号を付し重複する説明は省略する。
【００５９】
図２１において、表示対象要素数が多い場合には、表示装置１１に表示される系統図には設備機器シンボルや設備機器名称が近接または重なった状態で表示されるので、オペレータは選択対象の設備機器の種別をキーボード等の入力手段から指定する。入力手段からの選択対象機器種別は設備機器特定処理手段１５に入力され、設備機器特定処理手段１５では、選択対象機器種別と設備データベース１６のデータと照合し、選択対象の設備機器を特定する。図形検索処理手段１３は設備機器特定処理手段１５で特定された設備機器から図形情報データベース１４のデータと照合しその設備機器の図形情報を取得する。ここで取得した図形情報を画面表示処理手段１２によって系統図上の最前面に表示する。
【００６０】
図２２は第１２の実施の形態における設備機器特定処理手段１５の処理内容を示すフローチャートである。オペレータにより指定された選択対象設備機器種別を取り出し（Ｓ８１）、取得した設備機器種別を基に対象設備機器と設備データベース１６のデータとの照合を行い（Ｓ８２）、設備機器を特定する（Ｓ８３）。対象となるすべての設備機器の特定が終了するまで設備機器の特定を繰り返す（Ｓ８４）。ここで取得した設備機器は図形検索処理手段１３に入力される。
【００６１】
図２３は第１２の実施の形態における図形検索処理手段１３の処理内容を示すフローチャートである。図形検索処理手段１３では設備機器特定処理手段１５で特定された設備機器を基に図形情報データベース１４からその図形情報の取得を行い（Ｓ８５）、選択対象設備機器のすべての図形情報の取得が終了すれば図形情報を画面表示処理手段１２へ通知する（Ｓ８６）。画面表示処理手段１２では図形検索処理手段１３から取得した図形情報を系統図の最前面に表示する。
【００６２】
第１２の実施の形態によれば、複数の設備機器名称が近接または重なっている場合に、選択対象の設備機器及び設備機器の関連情報が最前面に表示されるため、設備機器の選択を容易に行うことができる。これより、視認性及び操作性が向上する。
【００６３】
図２４は本発明の第１３の実施の形態に係わる電力系統監視装置のブロック構成図である。この第１３の実施の形態は、図１に示した第１の実施の形態に対し、表示装置１１に表示される画面を分割する画面分割処理手段２８と、画面分割処理手段２８で分割された分割画面内に複数の設備機器情報があるか否かを判定する重なりチェック処理手段２９と、重なりチェック処理手段２９で分割画面内に複数の設備機器情報があると判定されたときは設備機器情報がない隣接する分割画面にその設備機器情報を移動処理する設備機器情報移動処理手段３０とを設けたものである。なお、図２４では、表示装置１１、図形検索処理手段１２、設備機器特定手段１５、設備機器情報取得処理手段１７等の記載を省略している。図１に示した第１の実施の形態と同一要素には同一符号を付し重複する説明は省略する。
【００６４】
図２４において、画面分割処理手段２８は表示装置１１に画面表示を行う前に、図形情報データベース１４から画面に表示する表示要素を取得し画面分割処理を行い、重なりチェック処理手段２９は分割画面ごとに設備機器情報の重なりチェック処理を行う。設備機器情報移動処理手段３０は、重なりがあった分割画面に対して設備機器情報移動処理を行う。画面表示処理手段１２は設備機器情報移動処理手段３０で設備機器情報移動処理が行われた図形情報を基に系統図上に表示する。
【００６５】
図２５は第１３の実施の形態における画面分割処理手段２８の処理内容を示すフローチャートである。表示装置１１の画面に表示する表示要素の表示座標、サイズを図形情報データベース１４から取り出し（Ｓ９１）、図２６に示すように画面の分割を行う（Ｓ９２）。図２６は第１３の実施の形態における表示装置１１に表示される画面を分割した説明図である。そして、分割画面ごとに表示される表示要素を取得し（Ｓ９３）、重なりチェック処理手段２９に出力する。
【００６６】
図２７は第１３の実施の形態における重なりチェック処理手段２９の処理内容を示すフローチャートである。画面分割処理手段２８から分割画面内に表示される表示要素を取得すると（Ｓ１０１）、取得した分割画面ごとの表示要素を基にその分割画面に複数の設備機器情報が存在するか否かをチェックし、設備機器情報が複数あれば当該分割画面重なり有りとする（Ｓ１０３）。すべての分割画面のチェックが終了すれば重なりのあった分割画面を設備機器情報移動処理手段３０に出力する。
【００６７】
図２８は第１３の実施の形態における設備機器情報移動処理手段３０の処理内容を示すフローチャートである。重なりチェック処理手段２９から分割画面ごとの設備機器情報の重なり有を入力すると、隣接する分割画面に設備機器情報がないかどうかを判定し（Ｓ１１１）、隣接する分割画面に設備機器情報がない場合には、設備機器情報の表示座標を移動する（Ｓ１１２）。そして、重なりありと判定した分割画面のすべてについて処理したかどうかを判定し、すべての分割画面について判定を終了した場合には、設備機器情報の表示座標の移動した画面の表示を画面表示処理手段１２へ通知する（Ｓ１１３）。なお、ステップＳ１１１での判定で隣接するすべての分割画面に設備機器情報がある場合には、その隣接する分割画面のいずれかの設備機器情報を、その隣接する分割画面が隣接する分割画面に移動させて、設備機器情報がない状態にした隣接する分割画面に設備機器情報を移動させることになる。
【００６８】
第１３の実施の形態によれば、表示要素の重なりがある場合には、重なり合った設備機器周辺の他の設備機器や設備機器情報の有無を判定することにより、自動的に設備機器情報などの配置座標を移動させるので重なりのない状態で表示でき、視認性及び操作性が向上する。
【００６９】
図２９は本発明の第１４の実施の形態に係わる電力系統監視装置のブロック構成図である。この第１４の実施の形態は、図１に示した第１の実施の形態に対し、オペレータにより追加された設備機器を表示装置１１に表示される系統図内に追加処理する設備機器追加処理手段３１と、設備機器追加処理手段３１で追加処理された設備機器を含む系統図の画面を分割する画面分割処理手段２８と、画面分割処理手段２８で分割された分割画面内に複数の設備機器情報があるか否かを判定する重なりチェック処理手段２９と、重なりチェック処理手段２９で分割画面内に複数の設備機器情報があると判定されたときは設備機器情報がない隣接する分割画面にその設備機器情報を移動し設備機器情報の座標を補正処理する設備機器情報座標補正処理手段３２とを設けたものである。なお、図２９では、図形検索処理手段１２、設備機器特定手段１５、設備機器情報取得処理手段１７等の記載を省略している。図１に示した第１の実施の形態と同一要素には同一符号を付し重複する説明は省略する。
【００７０】
図２９において、表示装置１１に表示された系統図に新たに設備機器等を追加表示させる場合には、オペレータは選択対象の設備機器をキーボード等の入力手段から指定する。設備機器追加処理手段３１は入力手段から系統図への設備機器の表示追加要求があったときは、オペレータにより追加された設備機器を表示装置１１に表示される系統図内に追加処理する。すなわち、オペレータが指定した位置に設備機器を追加し、また設備機器情報をその設備機器周辺の適当な位置に追加し、図形情報データベース１４にそれぞれの表示座標を格納する。
【００７１】
画面分割処理手段２８は表示装置１１に画面表示を行う前に、図形情報データベース１４から画面に表示する表示要素を取得し画面分割処理を行い、重なりチェック処理手段２９は分割画面ごとに設備機器情報の重なりチェック処理を行う。そして、重なりがあった分割画面に対して設備機器情報座標補正処理手段３２は設備機器情報座標補正処理を行う。画面表示処理手段１２は設備機器情報座標補正処理手段３２で設備機器情報移動処理が行われた図形情報を基に系統図上に表示する。
【００７２】
図３０は、第１４の実施の形態における設備機器追加処理手段３１の処理内容を示すフローチャートである。オペレータにより追加された設備機器の表示座標を図形情報データベース１４に格納するとともに（Ｓ１２１）、設備機器情報の表示座標を図形情報データベース１４に格納する（１２２）。
【００７３】
図３１は第１４の実施の形態における設備機器情報座標補正処理手段３２の処理内容を示すフローチャートである。重なりチェック処理手段２９から分割画面ごとの設備機器情報の重なり有を入力すると、隣接する分割画面に設備機器情報がないかどうかを判定し（Ｓ１３１）、隣接する分割画面に設備機器情報がない場合には、設備機器情報の表示座標を移動するとともに（Ｓ１３２）、移動した設備機器情報の表示座標を図形情報データベース１４に格納する（Ｓ１３３）。そして、重なりありと判定した分割画面のすべてについて処理したかどうかを判定し、すべての分割画面について判定を終了した場合には、設備機器情報の表示座標の移動した画面の表示を画面表示処理手段１２へ通知する（Ｓ１３４）。なお、ステップＳ１３１での判定で隣接するすべての分割画面に設備機器情報がある場合には、その隣接する分割画面のいずれかの設備機器情報を、その隣接する分割画面が隣接する分割画面に移動させて、設備機器情報がない状態にした隣接する分割画面に設備機器情報を移動させることになる。従って、最終的に図形情報データベース１４を各設備機器の図形情報間で重なりのない状態にすることができ、画面表示処理手段１２は、追加した設備機器を他の設備機器やその設備機器情報と重ならない状態で表示できる。
【００７４】
第１４の実施の形態によれば、系統図に設備機器を追加表示する場合に、自動的に設備機器情報が重なりのない状態で系統図を更新できるので、効率よく設備機器の追加を行うことができる。
【図面の簡単な説明】
【００７５】
【図１】本発明の第１の実施の形態に係わる電力系統監視装置のブロック構成図。
【図２】本発明の第１の実施の形態における図形検索処理手段の処理内容を示すフローチャート。
【図３】本発明の第１の実施の形態における設備機器特定処理手段の処理内容を示すフローチャート。
【図４】本発明の第２の実施の形態に係わる電力系統監視装置のブロック構成図。
【図５】本発明の第３の実施の形態に係わる電力系統監視装置のブロック構成図。
【図６】本発明の第４の実施の形態に係わる電力系統監視装置のブロック構成図。
【図７】本発明の第４の実施の形態における拡大率変更処理手段の処理内容を示すフローチャート。
【図８】本発明の第５の実施の形態に係わる電力系統監視装置のブロック構成図。
【図９】本発明の第５の実施の形態における機器シンボル移動処理手段の処理内容を示すフローチャート。
【図１０】本発明の第６の実施の形態に係わる電力系統監視装置のブロック構成図。
【図１１】本発明の第６の実施の形態における機器シンボル透過処理手段の処理内容を示すフローチャート。
【図１２】本発明の第７の実施の形態に係わる電力系統監視装置のブロック構成図。
【図１３】本発明の第７の実施の形態における機器シンボル点滅処理手段の処理内容を示すフローチャート。
【図１４】本発明の第８の実施の形態に係わる電力系統監視装置のブロック構成図。
【図１５】本発明の第８の実施の形態における拡大縮小率取得処理手段２４の処理内容を示すフローチャート。
【図１６】本発明の第９の実施の形態に係わる電力系統監視装置のブロック構成図。
【図１７】本発明の第１０の実施の形態に係わる電力系統監視装置のブロック構成図。
【図１８】本発明の第１０の実施の形態におけるシンボル表示判定処理手段の処理内容を示すフローチャート。
【図１９】本発明の第１１の実施の形態に係わる電力系統監視装置のブロック構成図。
【図２０】本発明の第１１の実施の形態における図形色決定処理手段の処理内容を示すフローチャート。
【図２１】本発明の第１２の実施の形態に係わる電力系統監視装置のブロック構成図。
【図２２】本発明の第１２の実施の形態における設備機器特定処理手段の処理内容を示すフローチャート。
【図２３】第１２の実施の形態における図形検索処理手段の処理内容を示すフローチャート。
【図２４】本発明の第１３の実施の形態に係わる電力系統監視装置のブロック構成図。
【図２５】本発明の第１３の実施の形態における画面分割処理手段の処理内容を示すフローチャート。
【図２６】本発明の第１３の実施の形態における表示装置に表示される画面を分割した説明図。
【図２７】本発明の第１３の実施の形態における重なりチェック処理手段の処理内容を示すフローチャート。
【図２８】本発明の第１３の実施の形態における設備機器情報移動処理手段の処理内容を示すフローチャート。
【図２９】本発明の第１４の実施の形態に係わる電力系統監視装置のブロック構成図。
【図３０】本発明の第１４の実施の形態における設備機器追加処理手段の処理内容を示すフローチャート。
【図３１】本発明の第１４の実施の形態における設備機器情報座標補正処理手段の処理内容を示すフローチャート。
【符号の説明】
【００７６】
１１…表示装置、１２…画面表示処理手段、１３…図形検索処理手段、１４…図形情報データベース、１５…設備機器特定処理手段、１６…設備データベース、１７…設備機器情報取得手段、１８…オンラインデータベース、１９…設備機器状態取得処理手段、２０…拡大率変更処理手段、２１…機器シンボル移動処理手段、２２…シンボル透過処理手段、２３…機器シンボル点滅処理手段、２４…拡大縮小率取得処理手段、２５…動画情報取得処理手段、２６…シンボル表示判定処理手段、２７…図形色決定処理手段、２８…画面分割処理手段、２９…重なりチェック処理手段、３０…設備機器情報移動処理手段、３１…設備機器追加処理手段、３２…設備機器情報座標補正処理手段
【図１】
2005284460.tif 000003
【図２】
2005284460.tif 000004
【図３】
2005284460.tif 000005
【図４】
2005284460.tif 000006
【図５】
2005284460.tif 000007
【図６】
2005284460.tif 000008
【図７】
2005284460.tif 000009
【図８】
2005284460.tif 000010
【図９】
2005284460.tif 000011
【図１０】
2005284460.tif 000012
【図１１】
2005284460.tif 000013
【図１２】
2005284460.tif 000014
【図１３】
2005284460.tif 000015
【図１４】
2005284460.tif 000016
【図１５】
2005284460.tif 000017
【図１６】
2005284460.tif 000018
【図１７】
2005284460.tif 000019
【図１８】
2005284460.tif 000020
【図１９】
2005284460.tif 000021
【図２０】
2005284460.tif 000022
【図２１】
2005284460.tif 000023
【図２２】
2005284460.tif 000024
【図２３】
2005284460.tif 000025
【図２４】
2005284460.tif 000026
【図２５】
2005284460.tif 000027
【図２６】
2005284460.tif 000028
【図２７】
2005284460.tif 000029
【図２８】
2005284460.tif 000030
【図２９】
2005284460.tif 000031
【図３０】
2005284460.tif 000032
【図３１】
2005284460.tif 000033